(57)【要約】【課題】本発明は送信機に関し、防塵性や防水性が図れ小型化の可能な送信機を得ることを目的とする。【解決手段】下面開口の略箱型の上ケース１と、この上ケース１の貫通孔１Ｆから上下動可能に突出する操作部２ａ、および直線部２ｂを有する操作体２と、上ケース１の下面開口を覆う下ケース４とにより、下ケース４に設けた側壁４ａ内に配線基板３を収納すると共に、下ケース４の側壁４ａを操作体２の下面に弾接させて送信機１０を構成する。【選択図】図１
2006345484.tif 000002
【特許請求の範囲】
【請求項１】
上辺に貫通孔を有する下面開口の略箱型の上ケースと、この上ケースの貫通孔から上下動可能に突出する操作部を有する略平板状の操作体と、この操作体の下方に配置され、前記操作部によって操作されるスイッチ及び送信回路を備えた配線基板と、前記上ケースの下面開口を覆う下ケースとからなり、
該下ケースに上方向に延伸する箱型の側壁を設け、この側壁内に前記配線基板を収納すると共に、該側壁の頂部を前記操作体の下面に弾接させた送信機。
【請求項２】
前記操作体の上面を前記上ケースに弾接させた請求項１記載の送信機。
【請求項３】
側壁外周と上ケース内周との間に空隙を有し、該空隙に充填材を充填した請求項１記載の送信機。
【請求項４】
操作体の下面に配線基板に当接する支持部を設けた請求項１記載の送信機。
【請求項５】
操作体の支持部に凹部を設け、該凹部に上ケースに設けた凸部を嵌合させた請求項４記載の送信機。
【請求項６】
下ケースに開口を設け、この開口を閉栓する蓋体をさらに有し、前記蓋体と前記下ケースとで電池収納部を形成し、かつ該電池収納部に収容される電池を前記蓋体で押し付けする請求項１記載の送信機。
【発明の詳細な説明】
【技術分野】
【０００１】
本発明は、主に自動車のドアの施錠や解錠を遠隔操作する携帯用の送信機に関するものである。
【背景技術】
【０００２】
近年、自動車の高機能化や多様化が進むに伴い、メカニカルキーを用いて直接ドアの施錠や解錠を行うものに加え、赤外線や電波を用いた携帯可能な送信機によって施錠や解錠を遠隔操作で行うものが増えている。
【０００３】
このような従来の送信機について、図７、図８を用いて説明する。
【０００４】
図７は従来の送信機の縦断面図、図８は同分解斜視図であり、同図において、２１は下面開口の箱型の上ケース、２２はゴム等の弾性材料製で略ドーム状の操作体で、操作体２２の上面に設けられた操作部２２ａが上ケース２１上辺に設けられた貫通孔２１Ｆから上下動可能に突出している。
【０００５】
そして、２３は操作体２２の下方に配置された配線基板で、この配線基板２３は、図示しない配線パターンが形成され、かつ、所定の位置には操作部２２ａが押圧されて操作されるスイッチ２３ａ、および発振子や半導体等が実装されて送信回路が形成されている。
【０００６】
また、２４は上ケース２１の下面開口部を覆う下ケースで、下ケース２４は上面に配線基板２３を保持する爪部２４ａを備えると共に、上下方向に連通する中央孔２４Ｅを備えている。
【０００７】
なお、配線基板２３下面の図示しない配線パターンには正電極２７ａと負電極２７ｂが接続されるとともに、各電極は、それぞれ下ケース２４の中央孔２４Ｅの外方向から見えるように配置されて、ここに収納されるコイン状の電池２６が着脱自在にできるように形成され、電池２６は、その外周が正電極２７ａに当接・保持され、その上面は負電極２７ｂに当接されている。
【０００８】
更に、２５はゴム等の弾性材料製の蓋体で、蓋体２５外周の環状の凸部２５ａが下ケース２４の環状の溝部２４ｂに嵌合され、下ケース２４の中央孔２４Ｅを閉栓するように形成されている。
【０００９】
ここで、操作体２２は、上ケース２１の孔２１ａが下ケース２４の突起部２４ｃに係止されることで、上ケース２１と下ケース２４の間に挟まれて保持されると共に、そのつば状のフランジ部２２ｂが下ケース２４の突起部２４ｄにより上ケース２１方向に弾接されている。
【００１０】
つまり、操作体２２の略ドーム状の外形より外方に突出したつば状のフランジ部２２ｂを、上ケース２１と下ケース２４で挟み、かつ弾接し、配線基板２３内への防塵性や防水性を確保するようにして送信機２０が構成されている。
【００１１】
以上の構成において、上ケース２１上面から突出した操作体２２の操作部２２ａを押し下げ操作すると、操作部２２ａ下面によってスイッチ２３ａがＯＮし送信回路が作動して赤外線や電波等が送信され、車両ドアの施錠や解錠が遠隔操作できるものであった。
【００１２】
なお、この出願の発明に関連する先行技術文献情報としては、例えば、特許文献１、特許文献２が知られている。
【特許文献１】特開平７−２９７２６５号公報
【特許文献２】特開平９−８４７４号公報
【発明の開示】
【発明が解決しようとする課題】
【００１３】
しかしながら、上記従来の送信機２０においては、配線基板２３内への防塵性や防水性を確保するために操作体２２につば状のフランジ部２２ｂを設ける必要がある。つまり、操作体２２の外方に突出するフランジ部２２ｂの分だけ外形が大きくなるため、送信機２０の小型化は困難であるという課題があった。
【００１４】
本発明は、このような従来の課題を解決するものであり、小型化を制限していたフランジ部を無くした構成であり、防塵性、防水性と小型化を同時に満足する送信機を提供することを目的とする。
【課題を解決するための手段】
【００１５】
上記目的を達成するために本発明の送信機は、以下の構成を有するものである。
【００１６】
本発明の請求項１に記載の発明は、操作体を略平板状に形成すると共に、下ケースに設けた側壁の頂部を操作体の下面に弾接させて、操作体によって操作されるスイッチを、配線基板、側壁および操作体により形成される空間に密封させることができるものであり、従来必要とした操作体のフランジ部を不要にできるため、防塵性、防水性の確保と小型化を同時に満足する送信機を得ることができるという作用を有する。
【００１７】
請求項２に記載の発明は、請求項１記載の発明において、操作体の上面を上ケースに弾接させたものであり、上ケースの貫通孔側からの埃や水が、上記空間に侵入するのを防止できるという作用を有する。
【００１８】
請求項３に記載の発明は、請求項１記載の発明において、下ケースの側壁外周と上ケース内周との間の空隙に充填材を充填したものであり、より防塵性や防水性を高めることができるという作用を有する。
【００１９】
請求項４に記載の発明は、請求項１記載の発明において、操作体の下面に配線基板に当接する支持部を設けたものであり、より防塵性や防水性が図れると共に、該支持部で操作体を自立できるため、組立を容易に行えるという作用を有する。
【００２０】
請求項５に記載の発明は、請求項４記載の発明において、支持部に凹部を設け、この凹部に上ケースに設けた凸部を嵌合させたものであり、より防塵性や防水性が図れると共に、操作体と上ケースの組立が独立して別途でき組立を容易に行えるという作用を有する。
【００２１】
請求項６に記載の発明は、請求項１記載の発明において、下ケースの下方に蓋体と下ケースとで電池収納部を形成し、かつ該電池収納部に収容される電池を蓋体で押し付けするものであり、防塵性や防水性が図れると共に、本送信機の落下や振動などによる電池の衝撃を蓋体により吸収できるという作用を有する。
【発明の効果】
【００２２】
以上のように本発明によれば、防塵性や防水性が図れ、かつ小型の送信機を得ることができるという有利な効果が得られる。
【発明を実施するための最良の形態】
【００２３】
以下、本発明の実施の形態について、図１〜図６を用いて説明する。
【００２４】
（実施の形態）
図１は本発明の一実施の形態による送信機の縦断面図、図２は同分解斜視図、図３は同分解側面図であり、同図において、１は下面が開口した略箱型の上ケース、２は略平板状の操作体で、操作体２は、その直線部２ｂから上面に略逆Ｔ字状に設けた操作部２ａを上ケース１に設けられた貫通孔１Ｆから上下動可能に突出して形成している。
【００２５】
ここで、上ケース１は、ＡＢＳ（アクリロニトリルブタジエンスチレン樹脂）やＰＢＴ（ポリブチレンテレフタレート樹脂）などの耐熱性に優れた絶縁樹脂の成型品である。
【００２６】
そして、操作体２は、絶縁樹脂製の操作部２ａの根元とシリコンゴムやエラストマ製の直線部２ｂの間に、操作部２ａの押圧操作が容易なように薄肉部２ｃを設けている。なお、この操作体２の操作部２ａと直線部２ｂは、同一のゴム材で一体に形成しても良い。
【００２７】
そして、３は操作体２の下方に配置された配線基板で、この配線基板３は、図示しない配線パターンが形成され、かつ、所定の位置には操作部２ａの下面によって押圧操作されるスイッチ３ａ、および発振子や半導体等が実装されて送信回路が形成されている。
【００２８】
また、４は上ケース１の下面開口部を覆う下ケースで、下ケース４は、上方向に延伸する箱型の側壁４ａを設け、この側壁４ａ内の爪部４ｂによって配線基板３を保持すると共に、上下方向に連通する中央孔４Ｅを備えている。
【００２９】
なお、配線基板３下面の図示しない配線パターンには正電極７ａと負電極７ｂが接続されるとともに、各電極は、それぞれ下ケース４の中央孔４Ｅの外方向から見えるように配置されて、ここに収納されるコイン状の電池６が着脱自在にできるように形成され、電池６は、その外周が正電極７ａに当接・保持され、その上面が負電極７ｂに当接されている。
【００３０】
また、５はシリコンゴムやエラストマなどの弾性材料製の蓋体で、蓋体５は、外周に設けた環状の凸部５ａが下ケース４の環状の溝部４ｃに圧挿され、下ケース４の中央孔４Ｅを閉栓し、ここに電池収納部Ｄが設けられ、かつ蓋体５の突起部５ｂで電池６を負電極７ｂ側に押し付けできるように形成されている。
【００３１】
ここで、装着された際の電池６は、Ｌ字状に形成された正電極７ａの下側の平坦部により保持され、かつ、正電極７ａで負電極７ｂ側への付勢が行われているが、さらに、送信機１０の落下や振動などによる電池６への衝撃で各電極が変形や磨耗して電池６との導通が損なわれる恐れを防止するために、蓋体５は、その突起部５ｂで電池６を負電極７ｂ側へ押し付けし、電池６への衝撃を吸収できるように形成している。
【００３２】
また、上ケース１の側面下方に開口された孔１ａに下ケース４の突起部４ｄが係止され、操作体２が上ケース１と下ケース４の間に挟まれて保持されると共に、下ケース４の側壁４ａの凸状に形成された頂部４ｅによって、操作体２の直線部２ｂが上ケース１に弾接され、側壁４ａ内が密閉されるように形成されている。
【００３３】
さらに、操作体２の直線部２ｂの上面は、下ケース４の側壁４ａによる押圧で上ケース１に密着し、上ケース１の貫通孔１Ｆ側からの塵や水が側壁４ａ内に侵入することを防止している。
【００３４】
つまり、操作体２を略平板状に形成することによって、その外形寸法の小型化を図ると共に、下ケース４の側壁４ａによって操作体２を上ケース１に弾接させることで、配線基板３が収容された空間Ｈ内への防塵性や防水性を高めるようにして送信機１０が構成されている。
【００３５】
以上の構成において、上ケース１上面から突出した操作体２の操作部２ａを押圧操作すると、操作部２ａ下面によってスイッチ３ａがＯＮされ、送信回路が作動して赤外線や電波等が自動車に送信されることによって、ドアの施錠や解錠が遠隔操作によって行われる。
【００３６】
このように本実施の形態によれば、操作体２を略平板状に形成すると共に、下ケース４の側壁４ａで操作体２を弾接させることで、操作体２に外方に突出するフランジ部が不要にでき、防塵性、防水性の確保と小型化を同時に満足する送信機１０を得ることができるものである。
【００３７】
また、操作体２の上面を上ケース１に弾接させたものであり、上ケース１の貫通孔側からの埃や水が、空間Ｈ内に侵入するのを防止できる。
【００３８】
なお、以上の説明では、操作体２をゴム材からなる弾性体として説明したが、ゴム材に代えてバネ性を有する金属材を用いてもよく、図４に示すように、金属材の操作体２は、直線部２ｂの周縁を下向きに曲げ、ここに弾性を有する曲げ部２ｃを形成し、この曲げ部２ｃに下ケース４の側壁４ａを弾接させることで、空間Ｈ内への防塵性や防水性に加え、低背化も図れるという効果が得られる。
【００３９】
ここで、図４に示す操作体２は、金属材の直線部２ｂの中央に貫通孔を設け、この貫通孔を通ってゴム材の操作部２ａが下面に連通するように一体形成している。
【００４０】
また、図５に示すように、下ケース４の側壁４ａ外周と上ケース１内周との間の空隙Ｇに充填材８を充填することで、より防塵性や防水性を高めることができる。この充填材８は、熱硬化性樹脂のシリコン樹脂、エポキシ樹脂および不飽和ポリエステル樹脂や熱可塑性樹脂のアクリル樹脂などを用いる。
【００４１】
さらに、図５に示すように、操作体２の下面に配線基板３に当接する突起状の支持部２ｅを設けることによって、図１で示した、下ケース４の側壁４ａに設けた配線基板３を保持する爪部４ｂが不要にできて組立が容易となる。
【００４２】
また、図６に示すように、配線基板３に当接する支持部２ｅに凹部２ｆを設けると共に、この凹部２ｆに上ケース１の凸部１ｆを嵌合させる。この構成によって、より防塵性や防水性が図れると共に、操作体２と上ケース１の組立を独立して別途できるため、組立がより容易になる。
【００４３】
また、蓋体５と下ケース４とで電池収納部Ｄを形成し、この電池収納部Ｄに収容される電池６を蓋体５の突起部５ｂで押し付けすることにより、防塵性や防水性が図れると共に、本送信機の落下や振動などによる電池６の衝撃を蓋体５により吸収できる。
【００４４】
なお、上記実施の形態では、車両用の送信機として説明したが、これに限定されるわけではなく、各種電気機器を遠隔操作するリモコン送信機、携帯型ゲーム機または携帯電話機などに用いても、同様の効果を得ることができる。
【産業上の利用可能性】
【００４５】
本発明による送信機は、防塵性や防水性が図れ小型化の可能な送信機を得ることができるという効果を有し、主に車両用の送信機等に有用である。
【図面の簡単な説明】
【００４６】
【図１】本発明の一実施の形態による送信機の縦断面図
【図２】同分解斜視図
【図３】同分解側面図
【図４】同他の形態による操作体の縦断面図
【図５】同他の形態による送信機の縦断面図
【図６】同他の形態による送信機の縦断面図
【図７】従来の送信機の縦断面図
【図８】同分解斜視図
【符号の説明】
【００４７】
１  上ケース
１ａ  孔部
１Ｆ  貫通孔
２  操作体
２ａ  操作部
２ｂ  直線部
２ｃ  薄肉部
３  配線基板
３ａ  スイッチ
４  下ケース
４ａ  側壁
４ｂ  爪部
４ｃ  溝部
４ｄ  突起部
４ｅ  頂部
４Ｅ  中央孔
５  蓋体
５ａ  凸部
５ｂ  突起部
６  電池
７ａ，７ｂ  電極
Ｄ  電池収納部
Ｇ  隙間
Ｈ  空間
【図１】
2006345484.tif 000003
【図２】
2006345484.tif 000004
【図３】
2006345484.tif 000005
【図４】
2006345484.tif 000006
【図５】
2006345484.tif 000007
【図６】
2006345484.tif 000008
【図７】
2006345484.tif 000009
【図８】
2006345484.tif 000010